(57)【要約】【課題】工程内搬送に適したフロントリテーナ及び出荷輸送に適したフロントリテーナを取り替えることなく、工程内搬送及び出荷輸送の両方に適したフロントリテーナを備える基板収納容器を提供する。【解決手段】本発明の基板収納容器１は、正面に開口部２１を有するとともに、複数の基板Ｗを収納する容器本体２０と、容器本体２０の開口部２１を閉止する蓋体４０と、蓋体４０に取り付けられ、開口部２１が蓋体４０によって閉止された状態において基板Ｗを保持するフロントリテーナ４３とを備えるものであって、蓋体４０の開口部２１に対向する側には、フロントリテーナ４３を取り付ける取付部４２が形成され、フロントリテーナ４３は、取付部４２に対し嵌合可能に取り付けられ、フロントリテーナ４３を取付部４２に対し上下反転して取り付けることによって基板Ｗを保持する基板保持力を変更させる。【選択図】図５
2020009981.tif 000002
【特許請求の範囲】
【請求項１】
正面に開口部を有するとともに、複数の基板を収納する容器本体と、
前記容器本体の開口部を閉止する蓋体と、
前記蓋体に取り付けられ、前記開口部が前記蓋体によって閉止された状態において前記基板を保持するフロントリテーナとを備える基板収納容器であって、
前記蓋体の前記容器本体に対向する側には、前記フロントリテーナを取り付ける取付部が形成され、
前記フロントリテーナは、前記取付部に対し嵌合可能に取り付けられ、
前記フロントリテーナを前記取付部に対し第１位置又は第２位置に位置付けて取り付けることによって、前記基板を保持する基板保持力を変更させる
ことを特徴とする基板収納容器。
【請求項２】
前記取付部は、窪み部からなり、
前記窪み部の底面には、第１凸部及び第１凹部が上下方向に沿って交互に設けられ、
前記フロントリテーナは、前記取付部に取り付けられる被取付部と、前記基板を保持する保持部とを有し、
前記被取付部の前記窪み部の底面に対向する側には、第２凸部及び第２凹部が上下方向に沿って交互に設けられ、
前記フロントリテーナが前記第１位置に位置付けられる場合、前記被取付部は、前記第２凸部及び前記第１凸部が、それぞれ前記第１凹部及び前記第２凹部に入り込むように、前記取付部に嵌合され、
前記フロントリテーナが前記第２位置に位置付けられる場合、前記被取付部は、前記第２凸部と前記第１凸部とが対向するとともに前記第２凹部と前記第１凹部とが対向するように、前記取付部に嵌合される
ことを特徴とする請求項１に記載の基板収納容器。
【請求項３】
前記窪み部の側面には、前記被取付部と嵌合する第１嵌合爪及び前記第１嵌合爪よりも前記開放側である第２嵌合爪が設けられ、
前記被取付部が前記第１嵌合爪と嵌合する場合、前記第２凸部及び前記第１凸部が、それぞれ前記第１凹部及び前記第２凹部に入り込み、
前記被取付部が前記第２嵌合爪と嵌合する場合、前記第２凸部と前記第１凸部とが対向するとともに前記第２凹部と前記第１凹部とが対向する
ことを特徴とする請求項２に記載の基板収納容器。
【請求項４】
前記被取付部が前記第２嵌合爪と嵌合する場合、前記被取付部の前記窪み部の側面に対向する側には、前記第１嵌合爪と干渉しない切り欠きが形成される
ことを特徴とする請求項３に記載の基板収納容器。
【請求項５】
前記フロントリテーナが前記第１位置に位置付けられる場合、前記被取付部は、その一端部及び他端部がそれぞれ前記窪み部の一端面及び他端面と当接することによって、上下方向において位置決めされ、
前記フロントリテーナが前記第２位置に位置付けられる場合、前記被取付部は、その一端部及び他端部がそれぞれ前記窪み部の他端面及び一端面と当接することによって、上下方向において位置決めされる
ことを特徴とする請求項２から４までのいずれか１項に記載の基板収納容器。
【請求項６】
前記窪み部の一端面及び他端面には、それぞれ一方位置決め部及び他方位置決め部が設けられ、
前記フロントリテーナが前記第１位置に位置付けられる場合、前記被取付部は、その一端部が前記一方位置決め部と当接するとともにその他端部が前記窪み部の他端面と当接することによって、上下方向において位置決めされ、
前記フロントリテーナが前記第２位置に位置付けられる場合、前記被取付部は、その一端部が前記窪み部の一端面と当接するとともにその他端部が前記他方位置決め部と当接することによって、上下方向において位置決めされる
ことを特徴とする請求項２から４までのいずれか１項に記載の基板収納容器。
【請求項７】
前記取付部は、窪み部からなり、
前記窪み部の底面には、上下方向に対し傾斜する傾斜部が設けられ、
前記フロントリテーナは、前記取付部に取り付けられる被取付部と、前記基板を保持する保持部とを有し、
前記被取付部は、前記傾斜部に沿って第３位置と第４位置との間をスライド可能に設けられ、
前記被取付部を前記第３位置又は前記第４位置に係止させる係止手段を備え、
前記フロントリテーナが前記第１位置に位置付けられる場合、前記被取付部が前記第３位置にスライドされ、
前記フロントリテーナが前記第２位置に位置付けられる場合、前記被取付部が前記第４位置にスライドされる
ことを特徴とする請求項１に記載の基板収納容器。
【請求項８】
前記係止手段を構成する係止部材は、前記フロントリテーナ及び前記取付部とは別部材で構成される
ことを特徴とする請求項７に記載の基板収納容器。
【請求項９】
前記係止部材は、前記窪み部の一端面側において係止位置又は退避位置に移動可能に設けられる第１係止部材と、前記窪み部の他端面側において係止位置又は退避位置に移動可能に設けられる第２係止部材とを有し、
前記第１係止部材が係止位置に移動されるとともに前記第２係止部材が退避位置に移動されることによって、前記被取付部が前記第３位置に係止され、
前記第１係止部材が退避位置に移動されるとともに前記第２係止部材が係止位置に移動されることによって、前記被取付部が前記第４位置に係止される
ことを特徴とする請求項８に記載の基板収納容器。
【請求項１０】
前記係止手段は、
前記窪み部に設けられる係止凹部及び係止凸部のいずれか一方と、
前記被取付部に設けられる係止凹部及び係止凸部のいずれか他方とからなり、
前記係止凹部は、
前記被取付部が前記第３位置にスライドされる場合、前記係止凸部と係合する第１係止凹部と、
前記被取付部が前記第４位置にスライドされる場合、前記係止凸部と係合する第２係止凹部とを有する
ことを特徴とする請求項７に記載の基板収納容器。
【請求項１１】
前記窪み部の側面には、前記被取付部と嵌合する第３嵌合爪が設けられ、
前記第３嵌合爪は、その前記窪み部の底面に対向する側が前記傾斜部と平行になるように設けられ、
前記第３嵌合爪と前記傾斜部との間には、前記被取付部が挟持される
ことを特徴とする請求項７から１０までのいずれか１項に記載の基板収納容器。
【請求項１２】
前記容器本体の側壁には、収納される前記基板の左右端部を支持可能な基板支持部が設けられ、
前記フロントリテーナが前記第１位置に位置付けられる場合、前記保持部は、前記基板が前記基板支持部に支持されないように、前記基板を保持し、
前記フロントリテーナが前記第２位置に位置付けられる場合、前記保持部は、前記基板が前記基板支持部に支持されるように、前記基板を保持する
ことを特徴とする請求項２から１１までのいずれか１項に記載の基板収納容器。
【発明の詳細な説明】
【技術分野】
【０００１】
本発明は、基板を収納する基板収納容器に関する。
【背景技術】
【０００２】
従来、半導体ウェーハなどからなる基板を収納して、工場製造ラインの工程内搬送や、ウェーハメーカーからデバイスメーカーへのウェーハ出荷輸送のための基板収納容器としては、正面に開口部を有するとともに複数の基板を収納する容器本体と、容器本体の開口部を閉止する蓋体と、蓋体に取り付けられ開口部が蓋体によって閉止された状態において基板を保持するフロントリテーナとを備えるものがよく知られている（例えば、特許文献１参照）。
【０００３】
特許文献１に記載のような基板収納容器では、工程内搬送や出荷輸送の用途に応じて、工程内用基板収納容器のリテーナ及び基板支持部材と、出荷用基板収納容器のリテーナ及び基板支持部材との取り替えを行っている。
【先行技術文献】
【特許文献】
【０００４】
【特許文献１】特開２０１６−１１９４０８号公報
【発明の概要】
【発明が解決しようとする課題】
【０００５】
しかしながら、取り替えるための工程内用基板収納容器のリテーナ及び基板支持部材と、出荷用基板収納容器のリテーナ及び基板支持部材との両方をあらかじめ用意しなければならないので、基板収納容器を構成する部品が増加してしまい、基板収納容器の製造コストを十分に抑えることができないという課題があった。また、使用されないリテーナ及び基板支持部材を別途保管や準備する必要があり、これに起因するコストアップが発生してしまうことも考えられる。
【０００６】
そこで、本発明は、このような事情に鑑みてなされたものであり、工程内搬送に適したフロントリテーナ及び出荷輸送に適したフロントリテーナを取り替えることなく、工程内搬送及び出荷輸送の両方に適したフロントリテーナを備える基板収納容器を提供することを目的とする。
【課題を解決するための手段】
【０００７】
（１）本発明に係る１つの態様は、正面に開口部を有するとともに、複数の基板を収納する容器本体と、前記容器本体の開口部を閉止する蓋体と、前記蓋体に取り付けられ、前記開口部が前記蓋体によって閉止された状態において前記基板を保持するフロントリテーナとを備える基板収納容器であって、前記蓋体の前記容器本体に対向する側には、前記フロントリテーナを取り付ける取付部が形成され、前記フロントリテーナは、前記取付部に対し嵌合可能に取り付けられ、前記フロントリテーナを前記取付部に対し第１位置又は第２位置に位置付けて取り付けることによって、前記基板を保持する基板保持力を変更させるものである。
（２）上記（１）の態様において、前記取付部は、窪み部からなり、前記窪み部の底面には、第１凸部及び第１凹部が上下方向に沿って交互に設けられ、前記フロントリテーナは、前記取付部に取り付けられる被取付部と、前記基板を保持する保持部とを有し、前記被取付部の前記窪み部の底面に対向する側には、第２凸部及び第２凹部が上下方向に沿って交互に設けられ、前記フロントリテーナが前記第１位置に位置付けられる場合、前記被取付部は、前記第２凸部及び前記第１凸部が、それぞれ前記第１凹部及び前記第２凹部に入り込むように、前記取付部に嵌合され、前記フロントリテーナが前記第２位置に位置付けられる場合、前記被取付部は、前記第２凸部と前記第１凸部とが対向するとともに前記第２凹部と前記第１凹部とが対向するように、前記取付部に嵌合されてもよい。
（３）上記（２）の態様において、前記窪み部の側面には、前記被取付部と嵌合する第１嵌合爪及び前記第１嵌合爪よりも前記開放側である第２嵌合爪が設けられ、前記被取付部が前記第１嵌合爪と嵌合する場合、前記第２凸部及び前記第１凸部が、それぞれ前記第１凹部及び前記第２凹部に入り込み、前記被取付部が前記第２嵌合爪と嵌合する場合、前記第２凸部と前記第１凸部とが対向するとともに前記第２凹部と前記第１凹部とが対向してもよい。
（４）上記（３）の態様において、前記被取付部が前記２嵌合爪と嵌合する場合、前記被取付部の前記窪み部の側面に対向する側には、前記第１嵌合爪と干渉しない切り欠きが形成されてもよい。
（５）上記（２）から（４）までのいずれか１つの態様において、前記フロントリテーナが前記第１位置に位置付けられる場合、前記被取付部は、その一端部及び他端部がそれぞれ前記窪み部の一端面及び他端面と当接することによって、上下方向において位置決めされ、前記フロントリテーナが前記第２位置に位置付けられる場合、前記被取付部は、その一端部及び他端部がそれぞれ前記窪み部の他端面及び一端面と当接することによって、上下方向において位置決めされてもよい。
（６）上記（２）から（４）までのいずれか１つの態様において、前記窪み部の一端面及び他端面には、それぞれ一方位置決め部及び他方位置決め部が設けられ、前記フロントリテーナが前記第１位置に位置付けられる場合、前記被取付部は、その一端部が前記一方位置決め部と当接するとともにその他端部が前記窪み部の他端面と当接することによって、上下方向において位置決めされ、前記フロントリテーナが前記第２位置に位置付けられる場合、前記被取付部は、その一端部が前記窪み部の一端面と当接するとともにその他端部が前記他方位置決め部と当接することによって、上下方向において位置決めされてもよい。
（７）上記（１）の態様において、前記取付部は、窪み部からなり、前記窪み部の底面には、上下方向に対し傾斜する傾斜部が設けられ、前記フロントリテーナは、前記取付部に取り付けられる被取付部と、前記基板を保持する保持部とを有し、前記被取付部は、前記傾斜部に沿って第３位置と第４位置との間をスライド可能に設けられ、前記被取付部を前記第３位置又は前記第４位置に係止させる係止手段を備え、前記フロントリテーナが前記第１位置に位置付けられる場合、前記被取付部が前記第３位置にスライドされ、前記フロントリテーナが前記第２位置に位置付けられる場合、前記被取付部が前記第４位置にスライドされてもよい。
（８）上記（７）の態様において、前記係止手段を構成する係止部材は、前記フロントリテーナ及び前記取付部とは別部材で構成されてもよい。
（９）上記（８）の態様において、前記係止部材は、前記窪み部の一端面側において係止位置又は退避位置に移動可能に設けられる第１係止部材と、前記窪み部の他端面側において係止位置又は退避位置に移動可能に設けられる第２係止部材とを有し、前記第１係止部材が係止位置に移動されるとともに前記第２係止部材が退避位置に移動されることによって、前記被取付部が前記第３位置に係止され、前記第１係止部材が退避位置に移動されるとともに前記第２係止部材が係止位置に移動されることによって、前記被取付部が前記第４位置に係止されてもよい。
（１０）上記（７）の態様において、前記係止手段は、前記窪み部に設けられる係止凹部及び係止凸部のいずれか一方と、前記被取付部に設けられる係止凹部及び係止凸部のいずれか他方とからなり、前記係止凹部は、前記被取付部が前記第３位置にスライドされる場合、前記係止凸部と係合する第１係止凹部と、前記被取付部が前記第４位置にスライドされる場合、前記係止凸部と係合する第２係止凹部とを有してもよい。
（１１）上記（７）から（１０）までのいずれか１つの態様において、前記窪み部の側面には、前記被取付部と嵌合する第３嵌合爪が設けられ、前記第３嵌合爪は、その前記窪み部の底面に対向する側が前記傾斜部と平行になるように設けられ、前記第３嵌合爪と前記傾斜部との間には、前記被取付部が挟持されてもよい。
（１２）上記（２）から（１１）までのいずれか１つの態様において、前記容器本体の側壁には、収納される前記基板の左右端部を支持可能な基板支持部が設けられ、前記フロントリテーナが前記第１位置に位置付けられる場合、前記保持部は、前記基板が前記基板支持部に支持されないように、前記基板を保持し、前記フロントリテーナが前記第２位置に位置付けられる場合、前記保持部は、前記基板が前記基板支持部に支持されるように、前記基板を保持してもよい。
【発明の効果】
【０００８】
本発明によれば、工程内搬送に適したフロントリテーナ及び出荷輸送に適したフロントリテーナを取り替えることなく、工程内搬送及び出荷輸送の両方に適したフロントリテーナを備える基板収納容器を提供することができる。
【図面の簡単な説明】
【０００９】
【図１】第１実施形態に係る基板収納容器の斜視図である。
【図２】容器本体の正面図である。
【図３】蓋体の取付部の説明図、（ａ）フロントリテーナが取り外された蓋体の背面図であり、（ｂ）図３（ａ）のＩ−Ｉ線に沿う断面斜視図であり、（ｃ）図３（ａ）のＩ−Ｉ線に沿う断面図である。
【図４】フロントリテーナの説明図、（ａ）フロントリテーナの斜視図であり、（ｂ）フロントリテーナの底面図であり、（ｃ）フロントリテーナの側面図である。
【図５】フロントリテーナが第１位置に位置付けられた状態の説明図、（ａ）フロントリテーナが第１位置に位置付けられた蓋体の背面図であり、（ｂ）図５（ａ）のＩＩ―ＩＩ線に沿う断面斜視図であり、（ｃ）図５（ａ）のＩＩ−ＩＩ線に沿う断面図である。
【図６】フロントリテーナが第１位置に位置付けられた状態において、開口部が蓋体によって閉止されるとき、基板がフロントリテーナ及びリアリテーナによって保持される状態を示す説明図、（ａ）その状態の基板収納容器の概略図であり、（ｂ）図６（ａ）における部分Ａの拡大図である。
【図７】フロントリテーナが第２位置に位置付けられた状態の説明図、（ａ）フロントリテーナが第２位置に位置付けられた蓋体の背面図であり、（ｂ）図７（ａ）のＩＩＩ―ＩＩＩ線に沿う断面斜視図であり、（ｃ）図７（ａ）のＩＩＩ−ＩＩＩ線に沿う断面図である。
【図８】フロントリテーナが第２位置に位置付けられた状態において、開口部が蓋体によって閉止されるとき、基板がフロントリテーナ及びリアリテーナによって保持される状態を示す説明図、（ａ）その状態の基板収納容器の概略図であり、（ｂ）図８（ａ）における部分Ｂの拡大図である。
【図９】第２実施形態に係る蓋体の取付部の説明図、（ａ）フロントリテーナが取り外された蓋体の背面図であり、（ｂ）図９（ａ）のＩ−Ｉ線に沿う断面斜視図であり、（ｃ）図９（ａ）のＩ−Ｉ線に沿う断面図である。
【図１０】第２実施形態に係るフロントリテーナの説明図、（ａ）フロントリテーナの斜視図であり、（ｂ）フロントリテーナの底面図であり、（ｃ）フロントリテーナの側面図である。
【図１１】第２実施形態に係るフロントリテーナが第１位置に位置付けられた状態の説明図、（ａ）フロントリテーナが第１位置に位置付けられた蓋体の背面図であり、（ｂ）図１１（ａ）のＩＩ―ＩＩ線に沿う断面斜視図であり、（ｃ）図１１（ａ）のＩＩ−ＩＩ線に沿う断面図である。
【図１２】第２実施形態に係るフロントリテーナが第２位置に位置付けられた状態の説明図、（ａ）フロントリテーナが第２位置に位置付けられた蓋体の背面図であり、（ｂ）図１２（ａ）のＩＩＩ―ＩＩＩ線に沿う断面斜視図であり、（ｃ）図１２（ａ）のＩＩＩ−ＩＩＩ線に沿う断面図である。
【図１３】第３実施形態に係る蓋体の取付部及び係止手段の説明図、（ａ）フロントリテーナが取り外された蓋体の背面図であり、（ｂ）図１３（ａ）のＩ−Ｉ線に沿う断面斜視図であり、（ｃ）図１３（ａ）のＩ−Ｉ線に沿う断面図である。
【図１４】第３実施形態に係るフロントリテーナの説明図、（ａ）フロントリテーナの斜視図であり、（ｂ）フロントリテーナの底面図であり、（ｃ）フロントリテーナの側面図である。
【図１５】第３実施形態に係るフロントリテーナが第１位置に位置付けられた状態の説明図、（ａ）フロントリテーナが第１位置に位置付けられた蓋体の背面図であり、（ｂ）図１５（ａ）のＩＩ―ＩＩ線に沿う断面斜視図であり、（ｃ）図１５（ａ）のＩＩ−ＩＩ線に沿う断面図である。
【図１６】第３実施形態に係るフロントリテーナが第２位置に位置付けられた状態の説明図、（ａ）フロントリテーナが第２位置に位置付けられた蓋体の背面図であり、（ｂ）図１６（ａ）のＩＩＩ―ＩＩＩ線に沿う断面斜視図であり、（ｃ）図１６（ａ）のＩＩＩ−ＩＩＩ線に沿う断面図である。
【図１７】変形例に係る蓋体の取付部の説明図、（ａ）フロントリテーナが取り外された蓋体の背面図であり、（ｂ）図１７（ａ）のＩ−Ｉ線に沿う断面斜視図であり、（ｃ）図１７（ａ）のＩ−Ｉ線に沿う断面図である。
【図１８】変形例に係るフロントリテーナの説明図、（ａ）フロントリテーナの斜視図であり、（ｂ）フロントリテーナの底面図であり、（ｃ）フロントリテーナの側面図である。
【図１９】変形例に係るフロントリテーナが第１位置に位置付けられた状態の説明図、（ａ）フロントリテーナが第１位置に位置付けられた蓋体の背面図であり、（ｂ）図１９（ａ）のＩＩ―ＩＩ線に沿う断面斜視図であり、（ｃ）図１９（ａ）のＩＩ−ＩＩ線に沿う断面図である。
【図２０】変形例に係るフロントリテーナが第２位置に位置付けられた状態の説明図、（ａ）フロントリテーナが第２位置に位置付けられた蓋体の背面図であり、（ｂ）図２０（ａ）のＩＩＩ―ＩＩＩ線に沿う断面斜視図であり、（ｃ）図２０（ａ）のＩＩＩ−ＩＩＩ線に沿う断面図である。
【発明を実施するための形態】
【００１０】
以下、添付図面を参照して、発明を実施するための形態（以下、「実施形態」という）を詳細に説明する。また、実施形態の説明の全体を通して同じ要素に同じ符号を付している。なお、図中において、Ｘ軸に沿って延在する方向を前後方向とし、Ｙ軸に沿って延在する方向を左右方向とし、Ｚ軸に沿って延在する方向を上下方向とする。
【００１１】
（第１実施形態）
［基板収納容器の全体構成］
まず、図１及び図２を参照して、第１実施形態に係る基板収納容器１の全体構成を説明する。
図１は、第１実施形態に係る基板収納容器１の分解斜視図である。図２は、容器本体２０の正面図である。
【００１２】
図１及び図２に示すように、第１実施形態に係る基板収納容器１は、半導体ウェーハなどからなる基板Ｗを収納して、工場製造ラインの工程内搬送及びウェーハメーカーからデバイスメーカーへの出荷輸送のために使用されるものであり、複数枚（例えば、６枚、１２枚・・・２５枚）の円形形状の基板Ｗを収納する容器本体２０と、容器本体２０の正面に形成される開口部２１を開閉自在に覆う蓋体４０とを備えている。
【００１３】
容器本体２０は、正面に開口部２１を有するフロントオープンボックスタイプの容器であり、左右の側壁２２ａ，２２ｂの内面に対設され、収納される基板Ｗの左右端部を支持可能な複数の基板支持部３０と、背面壁２３の内面に設けられるリアリテーナ５０とを有している。なお、第１実施形態の容器本体２０は、基板支持部３０と、背面壁２３の内面に設けられるリアリテーナ５０とが一体成形で構成されるが、容器本体２０の構造は、直方体形状に組み立てられた枠体に、その上面、下面、左側面、右側面及び背面を気密的に覆う壁部材を組付けて構成される組立式とするなど、これに限定されない。
【００１４】
複数の基板支持部３０は、容器本体２０が収納する基板Ｗの枚数に対応して、上下方向に沿って配列されるように設けられている。また、各基板支持部３０は、各基板Ｗの左右端部を水平に支持（載置）する、水平面からなる支持面３１を有している。
【００１５】
リアリテーナ５０は、開口部２１が蓋体４０によって閉止された状態において、基板Ｗの後端部を保持するものであり、上下方向に沿って配列されるように設けられる複数（容器本体２０が収納する基板Ｗの枚数と対応する）のＶ字溝５１を有している。各Ｖ字溝５１は、開口部２１が蓋体４０によって閉止された状態において、各基板Ｗの後端部に当接することによって、各基板Ｗの後端部を保持する。
【００１６】
一方、蓋体４０は、シールガスケット（図示せず）を介して容器本体２０の開口部２１を気密状態で閉止するものであり、容器本体２０の開口部２１を閉止する蓋体４０を施錠又は解錠する施錠機構４１（ロック手段）とを有している。施錠機構４１は、鍵穴（図示せず）に挿入される鍵（図示せず）の操作に応じて施錠位置と解錠位置とに変位するラッチ（図示せず）を備え、ラッチが容器本体２０側の係合部（図示せず）に係合されたり、係合解除されたりすることで、蓋体４０の施錠及び解錠が行われる。なお、蓋体４０の詳細については後述する。
【００１７】
なお、第１実施形態の容器本体２０は、フロントリテーナ４３とリアリテーナ５０で支持されるが、これに限定されるものではなく、例えば、フロントリテーナ４３と基板支持部３０の後端部に設けられたＶ字保持溝３２で支持するようにしてもよい。
【００１８】
容器本体２０や蓋体４０は、金属材料や樹脂材料で成形される複数の部品の組み合わせで構成される。樹脂部品の成形材料に含まれる樹脂としては、例えば、ポリカーボネート、シクロオレフィンポリマー、ポリエーテルイミド、ポリエーテルケトン、ポリエーテルエーテルケトン、ポリブチレンテレフタレート、ポリアセタール、液晶ポリマー、ポリメタクリル酸メチルなどのアクリル樹脂、アクリロニトリルブタジエンスチレン共重合体といった熱可塑性樹脂やこれらのアロイなどがあげられる。
【００１９】
これらの樹脂には、カーボン繊維、カーボンパウダー、カーボンナノチューブ、導電性ポリマーなどからなる導電物質やアニオン、カチオン、非イオン系などの各種帯電防止剤が必要に応じて添加される。また、ベンゾトリアゾール系、サリシレート系、シアノアクリレート系、オキザリックアシッドアニリド系、ヒンダードアミン系の紫外線吸収剤が添加されたり、剛性を向上させるガラス繊維や炭素繊維なども選択的に添加されたりする。
【００２０】
そして、容器本体２０は、軽量化を優先すれば、左右の側壁２２ａ，２２ｂ、底板及び天板の材料がアルミニウムであることが望ましく、なお、強度を優先すれば、左右の側壁２２ａ，２２ｂ、底板及び天板の材料がステレンスであることが望ましい。
【００２１】
［蓋体］
つぎに、図３から図８を参照して、蓋体４０を詳細に説明する。
図３は、蓋体４０の取付部４２の説明図、（ａ）フロントリテーナ４３が取り外された蓋体４０の背面図であり、（ｂ）図３（ａ）のＩ−Ｉ線に沿う断面斜視図であり、（ｃ）図３（ａ）のＩ−Ｉ線に沿う断面図である。図４は、フロントリテーナ４３の説明図、（ａ）フロントリテーナ４３の斜視図であり、（ｂ）フロントリテーナ４３の底面図であり、（ｃ）フロントリテーナ４３の側面図である。図５は、フロントリテーナ４３が第１位置に位置付けられた状態の説明図、（ａ）フロントリテーナ４３が第１位置に位置付けられた蓋体４０の背面図であり、（ｂ）図５（ａ）のＩＩ―ＩＩ線に沿う断面斜視図であり、（ｃ）図５（ａ）のＩＩ−ＩＩ線に沿う断面図である。図６は、フロントリテーナ４３が第１位置に位置付けられた状態において、開口部２１が蓋体４０によって閉止されるとき、基板Ｗがフロントリテーナ４３及びリアリテーナ５０によって保持される状態を示す説明図、（ａ）その状態の基板収納容器１の概略図であり、（ｂ）図６（ａ）における部分Ａの拡大図である。図７は、フロントリテーナ４３が第２位置に位置付けられた状態の説明図、（ａ）フロントリテーナ４３が第２位置に位置付けられた蓋体４０の背面図であり、（ｂ）図７（ａ）のＩＩＩ―ＩＩＩ線に沿う断面斜視図であり、（ｃ）図７（ａ）のＩＩＩ−ＩＩＩ線に沿う断面図である。図８は、フロントリテーナ４３が第２位置に位置付けられた状態において、開口部２１が蓋体４０によって閉止されるとき、基板Ｗがフロントリテーナ４３及びリアリテーナ５０によって保持される状態を示す説明図、（ａ）その状態の基板収納容器１の概略図であり、（ｂ）図８（ａ）における部分Ｂの拡大図である。
【００２２】
図３から図８に示すように、第１実施形態に係る蓋体４０は、蓋体４０の容器本体２０に対向する側に形成される取付部４２と、取付部４２に対し嵌合可能に取り付けられたフロントリテーナ４３とを更に有している。
【００２３】
［取付部］
図３に示すように、取付部４２は、フロントリテーナ４３が取り付けられるものであり、蓋体４０の容器本体２０に対向する側に形成される矩形形状の窪み部からなり、この窪み部は、長手方向が上下方向に沿って延在するとともに短手方向が左右方向に沿って延在するように形成されている。
【００２４】
また、取付部４２（窪み部）は、底面４２１の左右方向における両側に上下方向に沿って所定の第１間隔を空けるように設けられる複数（例えば、２５個）の第１凸部４２２、互いに隣接する第１凸部４２２の間に形成される複数の第１凹部４２３と、左右両側の側面４２６に設けられる複数（例えば、４つ）の第１嵌合爪４２８と、左右両側の側面４２６に設けられ第１嵌合爪４２８よりも開放側である複数（第１嵌合爪４２８に対応する数であり、例えば、４つ）の第２嵌合爪４２７とを有している。
【００２５】
複数の第１凸部４２２及び複数の第１凹部４２３は、上下方向に沿って交互に設けられている。取付部４２の一端面４２４ａ（上端面）から最も一端面４２４ａに隣接する第１凸部４２２までの寸法Ｌ１は、取付部４２の他端面４２４ｂ（下端面）から最も他端面４２４ｂに隣接する第１凸部４２２までの寸法Ｌ２よりも小さく形成されている。
【００２６】
なお、第１実施形態では、複数の第１凸部４２２及び複数の第１凹部４２３は、底面４２１の左右方向における両側のみに設けられているが、これに限定されるものではなく、例えば、底面４２１の左右方向における全域に設けられてもよい。
【００２７】
複数の第１嵌合爪４２８は、上下方向に沿って所定の第２間隔（所定の第１間隔よりも大きい）を空けるように、左右両側の側面４２６に設けられている。また、第１嵌合爪４２８は、その容器本体２０に対向する側が左右方向に沿って基端から先端にかけて先細る傾斜面４２８ａからなるとともに、その底面４２１に対向する側が上下方向に沿って延在する平面４２８ｂからなるように形成されている。
【００２８】
一方、複数の第２嵌合爪４２７は、第１嵌合爪４２８よりも開放側であるとともに上下方向に沿って所定の第２間隔を空けるように、左右両側の側面４２６に設けられている。また、第２嵌合爪４２７は、第１嵌合爪４２８と同様に、その容器本体２０に対向する側が左右方向に沿って基端から先端にかけて先細る傾斜面４２７ａからなるとともに、その底面４２１に対向する側が上下方向に沿って延在する平面４２７ｂからなるように形成されている。
【００２９】
また、複数の第１嵌合爪４２８及び複数の第２嵌合爪４２７は、上下方向に沿って重ならないように、交互に設けられている。
【００３０】
［フロントリテーナ］
図４、図５及び図７に示すように、フロントリテーナ４３は、取付部４２に対し第１位置（正の取付位置）又は第２位置（逆の取付位置）に位置付けて取り付けられることによって、基板Ｗを保持する基板保持力を変更させるものであり、取付部４２に取り付けられる一対の被取付部４３１と、基板Ｗの前端部を保持する保持部４３２とを有している。
【００３１】
一対の被取付部４３１は、左右方向に沿って保持部４３２を挟み込むとともに上下方向に沿って延在するように設けられている。また、被取付部４３１の底面４２１に対向する側には、複数（第１凸部４２２の数に対応するものであり、例えば、２５個）の第２凸部４３１ａ及び複数の第２凹部４３１ｂが上下方向に沿って交互に設けられている。具体的には、複数の第２凸部４３１ａが上下方向に沿って所定の第１間隔を空けるように設けられるとともに、複数の第２凹部４３１ｂが互いに隣接する第２凸部４３１ａの間に形成されている。
【００３２】
なお、被取付部４３１の他端部４３１ｅから最も他端部４３１ｅに隣接する第２凸部４３１ａまでの寸法Ｌ３は、被取付部４３１の一端部４３１ｄから最も一端部４３１ｄに隣接する第２凸部４３１ａまでの寸法Ｌ４よりも小さく形成されている。
【００３３】
さらに、被取付部４３１の底面４２１に対向する側の外側には、上下方向に沿って複数の切り欠き４３１ｃが形成されている。複数の切り欠き４３１ｃは、第１嵌合爪４２８に対応する複数（第１嵌合爪４２８の数に対応するものであり、例えば、４つ）の第１切り欠き４３１ｇと、第２嵌合爪４２７に対応する複数（第２嵌合爪４２７の数に対応するものであり、例えば、４つ）の第２切り欠き４３１ｆとからなっている。隣接する第１切り欠き４３１ｇ同士及び隣接する第２切り欠き４３１ｆ同士の間隔は、いずれも、第２間隔である。なお、複数の第１切り欠き４３１ｇ及び複数の第２切り欠き４３１ｆは、上下方向に沿って交互に形成されている。
【００３４】
保持部４３２は、上下方向に沿って所定の第１間隔を空けるように一対の被取付部４３１によって支持される複数（保持する基板Ｗの数に対応するものであり、例えば、２５個）の保持部要素４３３からなっている。保持部要素４３３は、略左右方向に沿って延在するとともにその両端部が一対の被取付部４３１の容器本体２０に対向する側と連結されるように設けられる基体部４３３ａと、基体部４３３ａに設けられ基板Ｗの前端部を保持する複数（例えば、４つ）のＶ字溝４３３ｂとを有している。
【００３５】
［フロントリテーナが第１位置（工程内搬送位置）に位置付けられた状態］
図５に示すように、フロントリテーナ４３が第１位置（正の取付位置）に位置付けられる場合、被取付部４３１は、その一端部４３１ｄが取付部４２の一端面４２４ａと当接するとともにその他端部４３１ｅが取付部４２の他端面４２４ｂと当接することによって、一端面４２４ａと他端面４２４ｂとの間に挟み込まれ、上下方向において位置決めされるとともに、被取付部４３１は、第２凸部４３１ａ及び第１凸部４２２が、それぞれ第１凹部４２３及び第２凹部４３１ｂに入り込むように、取付部４２に嵌合（位置決め）されている。すなわち、被取付部４３１の上下方向における寸法は、取付部４２の上下方向における寸法とほぼ等しく形成されている。
【００３６】
具体的には、この場合、被取付部４３１の容器本体２０に対向する側が第１嵌合爪４２８の平面４２８ｂと当接するとともに、第２凸部４３１ａの先端が底面４２１と当接することによって、被取付部４３１が、第１嵌合爪４２８と底面４２１との間に挟み込まれ、前後方向において嵌合されるようになっている。このように、被取付部４３１は、底面４２１側寄りの位置に位置決められているので、被取付部４３１によって支持される保持部４３２も、底面４２１側寄りの位置に配置されている。
【００３７】
また、この場合、各第２切り欠き４３１ｆは、上下方向に沿って各第２嵌合爪４２７と重なるように配置されているため、第２嵌合爪４２７が第２切り欠き４３１ｆを貫通することができ、これによって、被取付部４３１と第２嵌合爪４２７との干渉を確実に回避することができる。
【００３８】
さらに、この場合、取付部４２の一端面４２４ａから最も一端面４２４ａに隣接する第１凸部４２２までの寸法Ｌ１は、被取付部４３１の一端部４３１ｄから最も一端部４３１ｄに隣接する第２凸部４３１ａまでの寸法Ｌ４よりも小さく形成されるとともに、被取付部４３１の他端部４３１ｅから最も他端部４３１ｅに隣接する第２凸部４３１ａまでの寸法Ｌ３は、取付部４２の他端面４２４ｂから最も他端面４２４ｂに隣接する第１凸部４２２までの寸法Ｌ２よりも小さく形成されている。
【００３９】
図５に示すように、フロントリテーナ４３が第１位置（正の取付位置）に位置付けられた状態において、開口部２１が蓋体４０によって閉止されるとき、基板Ｗの前端部及び後端部は、それぞれ底面４２１側寄りの位置に配置されるフロントリテーナ４３及びリアリテーナ５０によって保持されている。この状態において、上述のように、保持部４３２も、底面４２１側寄りの位置に配置されることによって、前後方向における保持部４３２のＶ字溝４３３ｂからリアリテーナ５０のＶ字溝５１までの寸法が比較的に大きいため、保持される基板Ｗは、その左右端部が、基板支持部３０の支持面３１によって支持されることになっている（図６参照）。
【００４０】
なお、第１実施形態では、基板Ｗは、その左右端部が基板支持部３０に支持されるように、その前後端部がフロントリテーナ４３及びリアリテーナ５０によって保持されているが、これに限定されるものではなく、例えば、その左右端部が基板支持部３０から僅かに離間するように、その前後端部がフロントリテーナ４３及び基板支持部３０に設けられたＶ字保持溝３２によって保持されてもよい。
【００４１】
このように、フロントリテーナ４３が第１位置（正の取付位置）に位置付けられた状態において、開口部２１が蓋体４０によって閉止されるとき、基板Ｗは、その左右端部が支持面３１から離間せず（又は、僅かに離間するように）、その前後端部がフロントリテーナ４３及びリアリテーナ５０によって発生される弱い基板保持力で保持されるため、工程内搬送時における基板Ｗの破損を確実に抑制することができるので、この状態のフロントリテーナ４３は、工程内搬送に適しており、この状態の基板収納容器１を工程内搬送用基板収納容器として用いることができる。
【００４２】
［フロントリテーナが第２位置（出荷輸送位置）に位置付けられた状態］
図７に示すように、フロントリテーナ４３が第２位置（上下反転して逆の取付位置）に位置付けられる場合、被取付部４３１は、その一端部４３１ｄが取付部４２の他端面４２４ｂと当接するとともにその他端部４３１ｅが取付部４２の一端面４２４ａと当接することによって、一端面４２４ａと他端面４２４ｂとの間に挟み込まれ、上下方向において位置決めされるとともに、被取付部４３１は、第２凸部４３１ａと第１凸部４２２とが対向するとともに第２凹部４３１ｂと第１凹部４２３とが対向するように、取付部４２に嵌合されている。
【００４３】
具体的には、この場合、被取付部４３１の容器本体２０に対向する側が第２嵌合爪４２７の平面４２７ｂと当接するとともに、第２凸部４３１ａの先端が第１凸部４２２の先端と当接することによって、被取付部４３１が、第２嵌合爪４２７と第１凸部４２２との間に挟み込まれ、前後方向において嵌合されるようになっている。このように、被取付部４３１は、容器本体２０側寄りの位置に位置決められているので、被取付部４３１によって支持される保持部４３２も、容器本体２０側寄りの位置に配置されている。
【００４４】
なお、この場合、上述のように、被取付部４３１の他端部４３１ｅから最も他端部４３１ｅに隣接する第２凸部４３１ａまでの寸法Ｌ３は、被取付部４３１の一端部４３１ｄから最も一端部４３１ｄに隣接する第２凸部４３１ａまでの寸法Ｌ４よりも小さく形成されるので、フロントリテーナ４３が第１位置（正の取付位置）に位置付けられる場合に比べ、被取付部４３１によって支持される保持部４３２が、上方側寄りの位置に配置されている。
【００４５】
また、この場合、各第１切り欠き４３１ｇに各第１嵌合爪４２８が入り込んでいるため、被取付部４３１と第１嵌合爪４２８との干渉を確実に回避することができる。
【００４６】
さらに、この場合、取付部４２の一端面４２４ａから最も一端面４２４ａに隣接する第１凸部４２２までの寸法Ｌ１は、被取付部４３１の他端部４３１ｅから最も他端部４３１ｅに隣接する第２凸部４３１ａまでの寸法Ｌ３とほぼ等しく形成されるとともに、取付部４２の他端面４２４ｂから最も他端面４２４ｂに隣接する第１凸部４２２までの寸法Ｌ２は、被取付部４３１の一端部４３１ｄから最も一端部４３１ｄに隣接する第２凸部４３１ａまでの寸法Ｌ４とほぼ等しく形成されている。
【００４７】
図７に示すように、フロントリテーナ４３が第２位置（上下反転して逆の取付位置）に位置付けられた状態において、開口部２１が蓋体４０によって閉止されるとき、基板Ｗの前端部及び後端部は、それぞれ容器本体２０側寄りの位置に配置されるフロントリテーナ４３及びリアリテーナ５０によって保持されている。この状態において、上述のように、保持部４３２も、容器本体２０側寄りの位置に配置されることによって、前後方向における保持部４３２のＶ字溝４３３ｂからリアリテーナ５０のＶ字溝５１までの寸法が比較的に小さく、かつ、フロントリテーナ４３が第１位置に位置付けられる場合に比べ上方側寄りの位置に配置されるため、保持される基板Ｗは、フロントリテーナ４３によって、リアリテーナ５０側に押し込まれることで、保持部４３２のＶ字溝４３３ｂ及びリアリテーナ５０のＶ字溝５１の奥側に摺動し、その左右端部が、基板支持部３０の支持面３１から離間して支持されないようになっている（図８参照）。
【００４８】
このように、フロントリテーナ４３が第２位置（上下反転して逆の取付位置）に位置付けられた状態において、開口部２１が蓋体４０によって閉止されるとき、基板Ｗは、その左右端部が支持面３１から離間し、その前後端部がフロントリテーナ４３及びリアリテーナ５０によって発生される強い基板保持力で保持されるため、出荷輸送時に振動や衝撃による基板Ｗの移動を確実に抑制することができるので、この状態のフロントリテーナ４３は、出荷輸送に適しており、この状態の基板収納容器１を出荷輸送用基板収納容器として用いることができる。
【００４９】
なお、フロントリテーナ４３が第２位置に位置付けられた状態において、基板Ｗは、フロントリテーナ４３及びリアリテーナ５０によって基板支持部３０から離間するように保持されているが、これに限定されるものではなく、例えば、その左右端部が基板支持部３０から離間するように、その前後端部がフロントリテーナ４３及び基板支持部３０に設けられたＶ字保持溝３２によって保持されてもよい。
【００５０】
（第１実施形態の効果）
以上のように構成された第１実施形態に係る基板収納容器１は、正面に開口部２１を有するとともに、複数の基板Ｗを収納する容器本体２０と、容器本体２０の開口部２１を閉止する蓋体４０と、蓋体４０に取り付けられ、開口部２１が前記蓋体４０によって閉止された状態において基板Ｗを保持するフロントリテーナ４３とを備える基板収納容器であって、蓋体４０の容器本体２０に対向する側には、フロントリテーナ４３を取り付ける取付部４２が形成され、フロントリテーナ４３は、取付部４２に対し嵌合可能に取り付けられ、フロントリテーナ４３を取付部４２に対し上下反転して取り付けることによって、基板Ｗを保持する基板保持力を変更させるものである。これにより、フロントリテーナ４３を取付部４２に対し上下反転して取り付けるだけで、基板Ｗを保持する基板保持力を変更させることができ、これによって、工程内搬送に適したフロントリテーナ及び出荷輸送に適したフロントリテーナを取り替えることなく、工程内搬送及び出荷輸送の両方に適したフロントリテーナを備える基板収納容器を提供することができる。
【００５１】
また、第１実施形態に係る基板収納容器１では、取付部４２は、窪み部からなり、窪み部の底面４２１には、第１凸部４２２及び第１凹部４２３が上下方向に沿って交互に設けられ、フロントリテーナ４３は、取付部４２に取り付けられる被取付部４３１と、基板Ｗを保持する保持部４３２とを有し、被取付部４３１の窪み部の底面４２１に対向する側には、第２凸部４３１ａ及び第２凹部４３１ｂが上下方向に沿って交互に設けられ、フロントリテーナ４３が第１位置に位置付けられる場合、被取付部４３１は、第２凸部４３１ａ及び第１凸部４２２が、それぞれ第１凹部４２３及び第２凹部４３１ｂに入り込むように、取付部４２に嵌合され、フロントリテーナ４３が上下反転して第２位置に位置付けられる場合、被取付部４３１は、第２凸部４３１ａと第１凸部４２２とが対向するとともに第２凹部４３１ｂと第１凹部４２３とが対向するように、取付部４２に嵌合されるものである。これにより、フロントリテーナ４３が第１位置に位置付けられる場合、被取付部４３１は、第２凸部４３１ａ及び第１凸部４２２が、それぞれ第１凹部４２３及び第２凹部４３１ｂに入り込むように、取付部４２に嵌合されることで、保持部４３２を窪み部の底面４２１側寄りの位置に配置させることができ、基板Ｗを保持する保持部４３２の基板保持力を小さくすることができる。また、フロントリテーナ４３が上下反転して第２位置に位置付けられる場合、被取付部４３１は、第２凸部４３１ａと第１凸部４２２とが対向するとともに第２凹部４３１ｂと第１凹部４２３とが対向するように、取付部４２に嵌合されることで、保持部４３２を容器本体２０側寄りの位置に配置させることができ、基板Ｗを保持する保持部４３２の基板保持力を大きくすることができる。
【００５２】
さらに、第１実施形態に係る基板収納容器１では、窪み部の側面４２６には、被取付部４３１と嵌合する第１嵌合爪４２８及び第１嵌合爪４２８よりも開放側である第２嵌合爪４２７が設けられ、被取付部４３１が第１嵌合爪４２８と嵌合する場合、第２凸部４３１ａ及び第１凸部４２２が、それぞれ第１凹部４２３及び第２凹部４３１ｂに入り込み、被取付部４３１が第２嵌合爪４２７と嵌合する場合、第２凸部４３１ａと第１凸部４２２とが対向するとともに第２凹部４３１ｂと第１凹部４２３とが対向するものである。これにより、第２嵌合爪４２７又は第１嵌合爪４２８を用いることで、フロントリテーナ４３が取付部４２に対し上下反転して取り付けられたとしても、前後方向において被取付部４３１を確実に位置決めすることができる。
【００５３】
なお、第１実施形態に係る基板収納容器１では、被取付部４３１が第２嵌合爪４２７と嵌合する場合、被取付部４３１の窪み部の側面４２６に対向する側には、第１嵌合爪４２８と干渉しない第１切り欠き４３１ｇが形成されるものである。これにより、被取付部４３１と第１嵌合爪４２８との干渉を確実に回避することができる。
【００５４】
そして、第１実施形態に係る基板収納容器１では、フロントリテーナ４３が第１位置に位置付けられる場合、被取付部４３１は、その一端部４３１ｄ及び他端部４３１ｅがそれぞれ窪み部の一端面４２４ａ及び他端面４２４ｂと当接することによって、上下方向において位置決めされ、フロントリテーナ４３が上下反転して第２位置に位置付けられる場合、被取付部４３１は、その一端部４３１ｄ及び他端部４３１ｅがそれぞれ窪み部の他端面４２４ｂ及び一端面４２４ａと当接することによって、上下方向において位置決めされるものである。これにより、フロントリテーナ４３が取付部４２に対し上下反転して取り付けられたとしても、上下方向において被取付部４３１を確実に位置決めすることができる。
【００５５】
（第２実施形態）
つぎに、図９から図１２を参照して第２実施形態に係る蓋体４０を説明する。ただし、第１実施形態と相違する構成のみを説明し、第１実施形態と共通の構成については、第１実施形態と同じ符号を用いることにより、第１実施形態の説明を援用する。
図９は、第２実施形態に係る蓋体４０の取付部４２の説明図、（ａ）フロントリテーナ４３が取り外された蓋体４０の背面図であり、（ｂ）図９（ａ）のＩ−Ｉ線に沿う断面斜視図であり、（ｃ）図９（ａ）のＩ−Ｉ線に沿う断面図である。図１０は、第２実施形態に係るフロントリテーナ４３の説明図、（ａ）フロントリテーナ４３の斜視図であり、（ｂ）フロントリテーナ４３の底面図であり、（ｃ）フロントリテーナ４３の側面図である。図１１は、第２実施形態に係るフロントリテーナ４３が第１位置に位置付けられた状態の説明図、（ａ）フロントリテーナ４３が第１位置に位置付けられた蓋体４０の背面図であり、（ｂ）図１１（ａ）のＩＩ―ＩＩ線に沿う断面斜視図であり、（ｃ）図１１（ａ）のＩＩ−ＩＩ線に沿う断面図である。図１２は、第２実施形態に係るフロントリテーナ４３が第２位置に位置付けられた状態の説明図、（ａ）フロントリテーナ４３が第２位置に位置付けられた蓋体４０の背面図であり、（ｂ）図１２（ａ）のＩＩＩ―ＩＩＩ線に沿う断面斜視図であり、（ｃ）図１２（ａ）のＩＩＩ−ＩＩＩ線に沿う断面図である。
【００５６】
図９から図１２に示すように、第２実施形態に係る蓋体４０は、第１実施形態と同様に、蓋体４０の容器本体２０に対向する側に形成される取付部４２と、取付部４２に対し嵌合可能に取り付けられたフロントリテーナ４３とを更に有している。
【００５７】
［取付部］
図９に示すように、取付部４２は、フロントリテーナ４３が取り付けられるものであり、蓋体４０の容器本体２０に対向する側に形成される矩形形状の窪み部からなり、この窪み部は、長手方向が上下方向に沿って延在するとともに短手方向が左右方向に沿って延在するように形成されている。
【００５８】
また、取付部４２（窪み部）は、底面４２１の左右方向における両側に上下方向に沿って所定の第１間隔を空けるように設けられる複数（例えば、２５個）の第１凸部４２２、互いに隣接する第１凸部４２２の間に形成される複数の第１凹部４２３と、左右両側の一端面４２４ａに設けられる一対の一方位置決め部４２５ａと、左右両側の他端面４２４ｂに設けられる一対の他方位置決め部４２５ｂと、左右両側の側面４２６に設けられる複数（例えば、４つ）の第１嵌合爪４２８と、左右両側の側面４２６に設けられ第１嵌合爪４２８よりも開放側である複数（第１嵌合爪４２８に対応する数であり、例えば、４つ）の第２嵌合爪４２７とを有している。
【００５９】
複数の第１凸部４２２及び複数の第１凹部４２３は、上下方向に沿って交互に設けられている。なお、第２実施形態では、複数の第１凸部４２２及び複数の第１凹部４２３は、底面４２１の左右方向における両側のみに設けられているが、これに限定されるものではなく、例えば、底面４２１の左右方向における全域に設けられてもよい。
【００６０】
一方位置決め部４２５ａは、底面４２１及び一端面４２４ａの両方に設けられるとともに、他方位置決め部４２５ｂは、他端面４２４ｂのみに設けられている。また、一方位置決め部４２５ａと他方位置決め部４２５ｂとは、前後方向に沿って重ならないように設けられている。さらに、一方位置決め部４２５ａの上下方向における高さＷ１は、他方位置決め部４２５ｂの上下方向における高さＷ２と等しく形成されている。
【００６１】
複数の第１嵌合爪４２８は、上下方向に沿って所定の第２間隔（所定の第１間隔よりも大きい）を空けるように、左右両側の側面４２６に設けられている。また、第１嵌合爪４２８は、その容器本体２０に対向する側が左右方向に沿って基端から先端にかけて先細る傾斜面４２８ａからなるとともに、その底面４２１に対向する側が上下方向に沿って延在する平面４２８ｂからなるように形成されている。
【００６２】
一方、複数の第２嵌合爪４２７は、第１嵌合爪４２８よりも開放側であるとともに上下方向に沿って所定の第２間隔を空けるように、左右両側の側面４２６に設けられている。また、第２嵌合爪４２７は、第１嵌合爪４２８と同様に、その容器本体２０に対向する側が左右方向に沿って基端から先端にかけて先細る傾斜面４２８ａからなるとともに、その底面４２１に対向する側が上下方向に沿って延在する平面４２８ｂからなるように形成されている。
【００６３】
各第１嵌合爪４２８は、各第２嵌合爪４２７に対応するとともに、各第２嵌合爪４２７に対し他端面４２４ｂ側に高さＷ１（高さＷ２）分だけずれるように設けられている。また、前後方向において、各第１嵌合爪４２８と各第２嵌合爪４２７との間には、隙間が形成されている。
【００６４】
［フロントリテーナ］
図１０から図１２に示すように、フロントリテーナ４３は、取付部４２に対し第１位置又は第２位置に位置付けて取り付けられることによって、基板Ｗを保持する基板保持力を変更させるものであり、取付部４２に取り付けられる一対の被取付部４３１と、基板Ｗの前端部を保持する保持部４３２とを有している。
【００６５】
一対の被取付部４３１は、左右方向に沿って保持部４３２を挟み込むとともに上下方向に沿って延在するように設けられている。また、被取付部４３１の底面４２１に対向する側には、複数（第１凸部４２２の数に対応するものであり、例えば、２５個）の第２凸部４３１ａ及び複数の第２凹部４３１ｂが上下方向に沿って交互に設けられている。具体的には、複数の第２凸部４３１ａが上下方向に沿って所定の第１間隔を空けるように設けられるとともに、複数の第２凹部４３１ｂが互いに隣接する第２凸部４３１ａの間に形成されている。
【００６６】
さらに、被取付部４３１の底面４２１に対向する側の外側には、上下方向に沿って所定の第２間隔を空けるように、複数（第１嵌合爪４２８及び第２嵌合爪４２７の数に対応するものであり、例えば、４つ）の切り欠き４３１ｃが形成されている。切り欠き４３１ｃは、第１嵌合爪４２８の傾斜面４２８ａに対応するように傾斜している。
【００６７】
保持部４３２は、上下方向に沿って所定の第１間隔を空けるように一対の被取付部４３１によって支持される複数（保持する基板Ｗの数に対応するものであり、例えば、２５個）の保持部要素４３３からなっている。保持部要素４３３は、略左右方向に沿って延在するとともにその両端部が一対の被取付部４３１の容器本体２０に対向する側と連結されるように設けられる基体部４３３ａと、基体部４３３ａに設けられ基板Ｗの前端部を保持する複数（例えば、４つ）のＶ字溝４３３ｂとを有している。
【００６８】
［フロントリテーナが第１位置（工程内搬送位置）に位置付けられた状態］
図１１に示すように、フロントリテーナ４３が第１位置に位置付けられる場合、被取付部４３１は、その一端部４３１ｄが一方位置決め部４２５ａと当接するとともにその他端部４３１ｅが取付部４２の他端面４２４ｂと当接することによって、一方位置決め部４２５ａと他端面４２４ｂとの間に挟み込まれ、上下方向において位置決めされるとともに、被取付部４３１は、第２凸部４３１ａ及び第１凸部４２２が、それぞれ第１凹部４２３及び第２凹部４３１ｂに入り込むように、取付部４２に嵌合（位置決め）されている。
【００６９】
具体的には、この場合、被取付部４３１の容器本体２０に対向する側が第１嵌合爪４２８の平面４２８ｂと当接するとともに、第２凸部４３１ａの先端が底面４２１と当接することによって、被取付部４３１が、第１嵌合爪４２８と底面４２１との間に挟み込まれ、前後方向において嵌合されるようになっている。このように、被取付部４３１は、底面４２１側寄りの位置に位置決められているので、被取付部４３１によって支持される保持部４３２も、底面４２１側寄りの位置に配置されている。
【００７０】
第１実施形態と同様に、フロントリテーナ４３が第１位置に位置付けられた状態において、開口部２１が蓋体４０によって閉止されるとき、基板Ｗの前端部及び後端部は、それぞれ底面４２１側寄りの位置に配置されるフロントリテーナ４３及びリアリテーナ５０によって保持されている。この状態において、上述のように、保持部４３２も、底面４２１側寄りの位置に配置されることによって、前後方向における保持部４３２のＶ字溝４３３ｂからリアリテーナ５０のＶ字溝５１までの寸法が比較的に大きいため、保持される基板Ｗは、その左右端部が、基板支持部３０の支持面３１によって支持されることになっている。
【００７１】
なお、第２実施形態では、基板Ｗは、その左右端部が基板支持部３０に支持されるように、その前後端部がフロントリテーナ４３及びリアリテーナ５０によって保持されているが、これに限定されるものではなく、例えば、その左右端部が基板支持部３０から僅かに離間するように、その前後端部がフロントリテーナ４３及び基板支持部３０に設けられたＶ字保持溝３２によって保持されてもよい。
【００７２】
このように、フロントリテーナ４３が第１位置に位置付けられた状態において、開口部２１が蓋体４０によって閉止されるとき、基板Ｗは、その左右端部が支持面３１から離間せず（又は、僅かに離間するように）、その前後端部がフロントリテーナ４３及びリアリテーナ５０によって発生される弱い基板保持力で保持されるため、工程内搬送時における基板Ｗの破損を確実に抑制することができるので、この状態のフロントリテーナ４３は、工程内搬送に適しており、この状態の基板収納容器１を工程内搬送用基板収納容器として用いることができる。
【００７３】
［フロントリテーナが第２位置（出荷輸送位置）に位置付けられた状態］
図１２に示すように、フロントリテーナ４３が第１位置に対し一端面４２４ａ側（上端面側）に高さＷ１（高さＷ２）分だけずれる第２位置に位置付けられる場合、被取付部４３１は、その一端部４３１ｄが取付部４２の一端面４２４ａと当接するとともにその他端部４３１ｅが他方位置決め部４２５ｂと当接することによって、一端面４２４ａと他方位置決め部４２５ｂとの間に挟み込まれ、上下方向において位置決めされるとともに、被取付部４３１は、第２凸部４３１ａと第１凸部４２２とが対向するとともに第２凹部４３１ｂと第１凹部４２３とが対向するように、取付部４２に嵌合されている。
【００７４】
具体的には、この場合、被取付部４３１の容器本体２０に対向する側が第２嵌合爪４２７の平面４２７ｂと当接するとともに、第２凸部４３１ａの先端が第１凸部４２２の先端と当接することによって、被取付部４３１が、第２嵌合爪４２７と第１凸部４２２との間に挟み込まれ、前後方向において嵌合されるようになっている。このように、被取付部４３１は、容器本体２０側寄りの位置に位置決められているので、被取付部４３１によって支持される保持部４３２も、容器本体２０側寄りの位置に配置されている。
【００７５】
なお、この場合、上述のように、フロントリテーナ４３が第１位置に対し一端面４２４ａ側（上端面側）に高さＷ１（高さＷ２）分だけずれる第２位置に位置付けられるので、フロントリテーナ４３が第１位置に位置付けられる場合に比べ、被取付部４３１によって支持される保持部４３２が、上方側寄りの位置に配置されている。
【００７６】
また、この場合、切り欠き４３１ｃに第１嵌合爪４２８の傾斜面４２８ａが入り込むため、被取付部４３１と第１嵌合爪４２８との干渉を確実に回避することができる。
【００７７】
第１実施形態と同様に、フロントリテーナ４３が第２位置に位置付けられた状態において、開口部２１が蓋体４０によって閉止されるとき、基板Ｗの前端部及び後端部は、それぞれ容器本体２０側寄りの位置に配置されるフロントリテーナ４３及びリアリテーナ５０によって保持されている。この状態において、上述のように、保持部４３２も、容器本体２０側寄りの位置に配置されることによって、前後方向における保持部４３２のＶ字溝４３３ｂからリアリテーナ５０のＶ字溝５１までの寸法が比較的に小さく、かつ、フロントリテーナ４３が第１位置に位置付けられる場合に比べ上方側寄りの位置に配置されるため、保持される基板Ｗは、フロントリテーナ４３によって、リアリテーナ５０側に押し込まれることで、保持部４３２のＶ字溝４３３ｂ及びリアリテーナ５０のＶ字溝５１の奥側に摺動し、その左右端部が、基板支持部３０の支持面３１から離間して支持されないようになっている。
【００７８】
このように、フロントリテーナ４３が第２位置に位置付けられた状態において、開口部２１が蓋体４０によって閉止されるとき、基板Ｗは、その左右端部が支持面３１から離間し、その前後端部がフロントリテーナ４３及びリアリテーナ５０によって発生される強い基板保持力で保持されるため、出荷輸送時に振動や衝撃による基板Ｗの移動を確実に抑制することができるので、この状態のフロントリテーナ４３は、出荷輸送に適しており、この状態の基板収納容器１を出荷輸送用基板収納容器として用いることができる。
【００７９】
なお、フロントリテーナ４３が第２位置に位置付けられた状態において、基板Ｗは、フロントリテーナ４３及びリアリテーナ５０によって基板支持部３０から離間するように保持されているが、これに限定されるものではなく、例えば、その左右端部が基板支持部３０から離間するように、その前後端部がフロントリテーナ４３及び基板支持部３０に設けられたＶ字保持溝３２によって保持されてもよい。
【００８０】
（第２実施形態の効果）
以上のように構成された第２実施形態に係る基板収納容器１は、上述した第１実施形態の効果と同様の効果を奏し得る。それにくわえて、フロントリテーナ４３を取付部４２に対し上下反転して取り付けることなく、フロントリテーナ４３を取付部４２に対し第１位置又は第２位置を切り替えるだけで、基板Ｗを保持する基板保持力を容易に変更させることができる。
【００８１】
（第３実施形態）
つぎに、図１３から図１６を参照して第３実施形態に係る蓋体４０を説明する。ただし、第１，２実施形態と相違する構成のみを説明し、第１，２実施形態と共通の構成については、第１，２実施形態と同じ符号を用いることにより、第１，２実施形態の説明を援用する。
図１３は、第３実施形態に係る蓋体４０の取付部４２及び係止手段４６の説明図、（ａ）フロントリテーナ４３が取り外された蓋体４０の背面図であり、（ｂ）図１３（ａ）のＩ−Ｉ線に沿う断面斜視図であり、（ｃ）図１３（ａ）のＩ−Ｉ線に沿う断面図である。図１４は、第３実施形態に係るフロントリテーナ４３の説明図、（ａ）フロントリテーナ４３の斜視図であり、（ｂ）フロントリテーナ４３の底面図であり、（ｃ）フロントリテーナ４３の側面図である。図１５は、第３実施形態に係るフロントリテーナ４３が第１位置に位置付けられた状態の説明図、（ａ）フロントリテーナ４３が第１位置に位置付けられた蓋体４０の背面図であり、（ｂ）図１５（ａ）のＩＩ―ＩＩ線に沿う断面斜視図であり、（ｃ）図１５（ａ）のＩＩ−ＩＩ線に沿う断面図である。図１６は、第３実施形態に係るフロントリテーナ４３が第２位置に位置付けられた状態の説明図、（ａ）フロントリテーナ４３が第２位置に位置付けられた蓋体４０の背面図であり、（ｂ）図１６（ａ）のＩＩＩ―ＩＩＩ線に沿う断面斜視図であり、（ｃ）図１６（ａ）のＩＩＩ−ＩＩＩ線に沿う断面図である。
【００８２】
図１３から図１６に示すように、第３実施形態に係る蓋体４０は、蓋体４０の容器本体２０に対向する側に形成される取付部４２と、取付部４２に対し嵌合可能に取り付けられたフロントリテーナ４３と、フロントリテーナ４３の被取付部４３１を第３位置又は第４位置に係止させる係止手段４６とを更に有している。
【００８３】
［取付部］
図１３に示すように、取付部４２は、フロントリテーナ４３が取り付けられるものであり、蓋体４０の容器本体２０に対向する側に形成される矩形形状の窪み部からなり、この窪み部は、長手方向が上下方向に沿って延在するとともに短手方向が左右方向に沿って延在するように形成されている。
【００８４】
また、取付部４２（窪み部）は、底面４２１の左右方向における両側に上下方向に沿って配列されるように設けられる複数（例えば、２５個）の傾斜部４５と、左右両側の側面４２６に設けられる複数（例えば、４つ）の第３嵌合爪４２９とを有している。
【００８５】
複数の傾斜部４５は、上下方向に対し所定の角度傾斜するように設けられるものである。また、第３実施形態では、互いに隣接する傾斜部４５同士は、傾斜壁４４によって連結されているが、これに限定されるものではなく、例えば、前後方向に沿って延在する直立壁によって連結されてもよい。
【００８６】
なお、第３実施形態では、複数の傾斜部４５は、底面４２１の左右方向における両側に設けられているが、これに限定されるものではなく、例えば、底面４２１の左右方向における全域に設けられてもよい。
【００８７】
複数の第３嵌合爪４２９は、後述する被取付部４３１を傾斜部４５に沿って摺動させるようにガイドするものであり、上下方向に沿って所定の第２間隔（所定の第１間隔よりも大きい）を空けるように、左右両側の側面４２６に設けられている。また、第３嵌合爪４２９は、その底面４２１に対向する側が傾斜部４５と平行する傾斜面４２９ａからなるように形成されている。
【００８８】
［フロントリテーナ］
図１４から図１６に示すように、フロントリテーナ４３は、取付部４２に対し第１位置又は第２位置に位置付けて取り付けられることによって、基板Ｗを保持する基板保持力を変更させるものであり、取付部４２に取り付けられる一対の被取付部４３１と、基板Ｗの前端部を保持する保持部４３２とを有している。
【００８９】
一対の被取付部４３１は、左右方向に沿って保持部４３２を挟み込むとともに上下方向に沿って延在するように設けられている。また、被取付部４３１の底面４２１に対向する側には、複数（傾斜部４５の数に対応するものであり、例えば、２５個）のスライド部４３１ｈが上下方向に沿って配列されるように設けられている。
【００９０】
各スライド部４３１ｈは、各傾斜部４５に対し、スライド可能に設けられている。また、互いに隣接するスライド部４３１ｈ同士は、傾斜壁４３１ｉによって連結されている。さらに、スライド部４３１ｈ及び傾斜壁４３１ｉは、それぞれ傾斜部４５及び傾斜壁４４と平行になるように設けられている（図１５及び図１６参照）。
【００９１】
さらに、被取付部４３１の容器本体２０に対向する側には、少なくとも、複数の第３嵌合爪４２９の傾斜面４２９ａと嵌合する複数（第３嵌合爪４２９の数に対応するものであり、例えば、４つ）の嵌合面４３１ｊが設けられており、この嵌合面４３１ｊは、傾斜面４２９ａと平行になるように設けられている。
【００９２】
保持部４３２は、上下方向に沿って所定の第１間隔を空けるように一対の被取付部４３１によって支持される複数（保持する基板Ｗの数に対応するものであり、例えば、２５個）の保持部要素４３３からなっている。保持部要素４３３は、略左右方向に沿って延在するとともにその両端部が一対の被取付部４３１の容器本体２０に対向する側と連結されるように設けられる基体部４３３ａと、基体部４３３ａに設けられ基板Ｗの前端部を保持する複数（例えば、４つ）のＶ字溝４３３ｂとを有している。
【００９３】
［係止手段］
図１３に示すように、係止手段４６は、係止位置と退避位置との間を移動することが可能な係止部材４６１と、蓋体４０の容器本体２０に対向する側に形成され係止部材４６１を収納する係止部材収納部４６２とから構成されている。
【００９４】
係止部材４６１は、左右方向に沿って取付部４２を挟み込むように、取付部４２の一端面４２４ａ側において左右方向に沿って係止位置又は退避位置にスライド（移動）可能に設けられる一対の第１係止部材４６１ａと、左右方向に沿って取付部４２を挟み込むように、取付部４２の他端面４２４ｂ側において左右方向に沿って係止位置又は退避位置にスライド可能に設けられる一対の第２係止部材４６１ｂとを有している。
【００９５】
一対の第１係止部材４６１ａは、第１係止部材４６１ａが係止位置にスライドされることで被取付部４３１の一端部４３１ｄと当接するとともに、第１係止部材４６１ａが退避位置にスライドされることで取付部４２の領域外に退避する第１当接部４６１ｃと、第１当接部４６１ｃと一体形成され第１当接部４６１ｃのスライドを規制する第１移動規制部４６１ｄとからなっている。なお、第１移動規制部４６１ｄは、背面視において、その上下方向における寸法が第１当接部４６１ｃの上下方向における寸法よりも大きく形成されている。
【００９６】
一対の第２係止部材４６１ｂは、第２当接部４６１ｅと、第２当接部４６１ｅと一体形成され第２当接部４６１ｅのスライドを規制する第２移動規制部４６１ｆとからなっている。なお、第２移動規制部４６１ｆは、背面視において、その上下方向における寸法が第２当接部４６１ｅの上下方向における寸法よりも大きく形成されている。
【００９７】
第２当接部４６１ｅは、第２係止部材４６１ｂが係止位置にスライドされることで被取付部４３１の他端部４３１ｅと当接する第１当接面４６１ｇと、第２係止部材４６１ｂ退避位置にスライドされることで被取付部４３１の他端部４３１ｅと当接する第２当接面４６１ｈと有している。なお、第１当接面４６１ｇ及び第２当接面４６１ｈは、段差部４６１ｉを介して接続されている。
【００９８】
係止部材収納部４６２は、取付部４２の左右に一対の第１係止部材４６１ａをそれぞれ収納するように形成される一対の第１収納部４６２ａと、取付部４２の左右に一対の第２係止部材４６１ｂをそれぞれ収納するように形成される一対の第２収納部４６２ｂとを有している。
【００９９】
一対の第１収納部４６２ａは、第１移動規制部４６１ｄを収納するとともに取付部４２の一端部において左右方向に沿って延在するように形成される第１移動規制部収納部４６２ｃと、第１移動規制部収納部４６２ｃと取付部４２の一端部とを連通するとともに左右方向に沿って延在するように形成される第１連通路４６２ｄとからなっている。なお、第１移動規制部収納部４６２ｃは、背面視において、その上下方向における寸法が第１連通路４６２ｄの上下方向における寸法よりも大きく形成されている。
【０１００】
一対の第２収納部４６２ｂは、一対の第１収納部４６２ａと同様に、第２移動規制部４６１ｆを収納するとともに取付部４２の他端部において左右方向に沿って延在するように形成される第２移動規制部収納部４６２ｅと、第２移動規制部収納部４６２ｅと取付部４２の他端部とを連通するとともに左右方向に沿って延在するように形成される第２連通路４６２ｆとからなっている。なお、第２移動規制部収納部４６２ｅは、背面視において、その上下方向における寸法が第２連通路４６２ｆの上下方向における寸法よりも大きく形成されている。
【０１０１】
第１移動規制部４６１ｄが第１移動規制部収納部４６２ｃの取付部４２と離間する一端部４６２ｇに当接するとき、第１当接部４６１ｃが退避位置に位置付けられている。一方、第１移動規制部４６１ｄが第１移動規制部収納部４６２ｃの取付部４２と近接する他端部４６２ｈに当接するとき、第１当接部４６１ｃが係止位置に位置付けられている。
【０１０２】
一方、第１当接面４６１ｇが取付部４２の領域外に退避しつつ第２当接面４６１ｈのみが取付部４２の領域内に残るとき、第２当接部４６１ｅが退避位置に位置付けられている。一方、第２移動規制部４６１ｆが第２移動規制部収納部４６２ｅの取付部４２と近接する一端部４６２ｉに当接するとき、第２当接部４６１ｅが係止位置に位置付けられている。この場合、第１当接面４６１ｇ及び第２当接面４６１ｈの両方が取付部４２の領域内に位置付けられている。
【０１０３】
［フロントリテーナが第１位置（工程内搬送位置）に位置付けられた状態］
図１５に示すように、フロントリテーナ４３が第１位置に位置付けられる場合、被取付部４３１は、底面４２１側寄りの位置に位置付けられるように第３位置にスライドされている。この場合、一対の第１係止部材４６１ａが係止位置にスライドされるとともに、一対の第２係止部材４６１ｂが退避位置にスライドされると、被取付部４３１の一端部４３１ｄが第１当接部４６１ｃと当接するとともに、被取付部４３１の他端部４３１ｅが第２当接部４６１ｅの第２当接面４６１ｈと当接することで、被取付部４３１が底面４２１側寄りの位置に位置決めされている。これにより、被取付部４３１によって支持される保持部４３２も、底面４２１側寄りの位置に配置されている。なお、この場合、一対の第２係止部材４６１ｂが退避位置に位置付けられている。
【０１０４】
また、この場合、被取付部４３１の嵌合面４３１ｊが第３嵌合爪４２９の傾斜面４２９ａと当接することによって、被取付部４３１が、第３嵌合爪４２９と傾斜部４５との間に挟み込まれ、嵌合されるようになっている。
【０１０５】
第１実施形態と同様に、フロントリテーナ４３が第１位置に位置付けられた状態において、開口部２１が蓋体４０によって閉止されるとき、基板Ｗの前端部及び後端部は、それぞれ底面４２１側寄りの位置に配置されるフロントリテーナ４３及びリアリテーナ５０によって保持されている。この状態において、上述のように、保持部４３２も、底面４２１側寄りの位置に配置されることによって、前後方向における保持部４３２のＶ字溝４３３ｂからリアリテーナ５０のＶ字溝５１までの寸法が比較的に大きいため、保持される基板Ｗは、その左右端部が、基板支持部３０の支持面３１によって支持されることになっている。
【０１０６】
なお、第３実施形態では、基板Ｗは、その左右端部が基板支持部３０に支持されるように、その前後端部がフロントリテーナ４３及びリアリテーナ５０によって保持されているが、これに限定されるものではなく、例えば、その左右端部が基板支持部３０から僅かに離間するように、その前後端部がフロントリテーナ４３及び基板支持部３０に設けられたＶ字保持溝３２によって保持されてもよい。
【０１０７】
このように、フロントリテーナ４３が第１位置に位置付けられた状態において、開口部２１が蓋体４０によって閉止されるとき、基板Ｗは、その左右端部が支持面３１から離間せず（又は、僅かに離間するように）、その前後端部がフロントリテーナ４３及びリアリテーナ５０によって発生される弱い基板保持力で保持されるため、工程内搬送時における基板Ｗの破損を確実に抑制することができるので、この状態のフロントリテーナ４３は、工程内搬送に適しており、この状態の基板収納容器１を工程内搬送用基板収納容器として用いることができる。
【０１０８】
［フロントリテーナが第２位置（出荷輸送位置）に位置付けられた状態］
図１６に示すように、フロントリテーナ４３が第１位置に対し一端面４２４ａ側（上端面側）に隙間分だけずれる第２位置に位置付けられる場合、被取付部４３１は、容器本体２０側寄りの位置に位置付けられるように第４位置にスライドされている。この場合、一対の第１係止部材４６１ａが退避位置にスライドされるとともに、一対の第２係止部材４６１ｂが係止位置にスライドされると、被取付部４３１の一端部４３１ｄが一端面４２４ａと当接するとともに、被取付部４３１の他端部４３１ｅが第２当接部４６１ｅの第１当接面４６１ｇと当接することで、被取付部４３１が容器本体２０側寄りの位置に位置決めされている。これにより、被取付部４３１によって支持される保持部４３２も、容器本体２０側寄りの位置に配置されている。
【０１０９】
また、この場合、被取付部４３１の嵌合面４３１ｊが第３嵌合爪４２９の傾斜面４２９ａと当接することによって、被取付部４３１が、第３嵌合爪４２９と傾斜部４５との間に挟み込まれ、嵌合されるようになっている。
【０１１０】
なお、この場合、上述のように、フロントリテーナ４３が第１位置に対し一端面４２４ａ側（上端面側）に隙間分だけずれる第２位置に位置付けられるので、フロントリテーナ４３が第１位置に位置付けられる場合に比べ、被取付部４３１によって支持される保持部４３２が、上方側寄りの位置に配置されている。
【０１１１】
第１実施形態と同様に、フロントリテーナ４３が第２位置に位置付けられた状態において、開口部２１が蓋体４０によって閉止されるとき、基板Ｗの前端部及び後端部は、それぞれ容器本体２０側寄りの位置に配置されるフロントリテーナ４３及びリアリテーナ５０によって保持されている。この状態において、上述のように、保持部４３２も、容器本体２０側寄りの位置に配置されることによって、前後方向における保持部４３２のＶ字溝４３３ｂからリアリテーナ５０のＶ字溝５１までの寸法が比較的に小さく、かつ、フロントリテーナ４３が第１位置に位置付けられる場合に比べ上方側寄りの位置に配置されるため、保持される基板Ｗは、フロントリテーナ４３によって、リアリテーナ５０側に押し込まれることで、保持部４３２のＶ字溝４３３ｂ及びリアリテーナ５０のＶ字溝５１の奥側に摺動し、その左右端部が、基板支持部３０の支持面３１から離間して支持されないようになっている。
【０１１２】
なお、フロントリテーナ４３が第２位置に位置付けられた状態において、基板Ｗは、フロントリテーナ４３及びリアリテーナ５０によって基板支持部３０から離間するように保持されているが、これに限定されるものではなく、例えば、その左右端部が基板支持部３０から離間するように、その前後端部がフロントリテーナ４３及び基板支持部３０に設けられたＶ字保持溝３２によって保持されてもよい。
【０１１３】
このように、フロントリテーナ４３が第２位置に位置付けられた状態において、開口部２１が蓋体４０によって閉止されるとき、基板Ｗは、その左右端部が支持面３１から離間し、その前後端部がフロントリテーナ４３及びリアリテーナ５０によって発生される強い基板保持力で保持されるため、出荷輸送時に振動や衝撃による基板Ｗの移動を確実に抑制することができるので、この状態のフロントリテーナ４３は、出荷輸送に適しており、この状態の基板収納容器１を出荷輸送用基板収納容器として用いることができる。
【０１１４】
（第３実施形態の効果）
以上のように構成された第３実施形態に係る基板収納容器１は、上述した第１実施形態及び第２実施形態の効果と同様の効果を奏し得る。それにくわえて、フロントリテーナ４３が第１位置に位置付けられる場合、第１係止部材４６１ａが係止位置にスライドされるとともに第２係止部材４６１ｂが退避位置にスライドされ、フロントリテーナ４３が第２位置に位置付けられる場合、第１係止部材４６１ａが退避位置にスライドされるとともに第２係止部材４６１ｂが係止位置にスライドされるので、第１係止部材４６１ａ又は第２係止部材４６１ｂの位置状態を認識するだけで、フロントリテーナ４３が第１位置又は第２位置のいずれか一方に位置付けられることを容易に把握することができる。
【０１１５】
（変形例）
つぎに、図１７から図２０を参照して係止手段４６の変形例を説明する。ただし、第３実施形態と相違する構成のみを説明し、第３実施形態と共通の構成については、第３実施形態と同じ符号を用いることにより、第３実施形態の説明を援用する。
図１７は、変形例に係る蓋体４０の取付部４２の説明図、（ａ）フロントリテーナ４３が取り外された蓋体４０の背面図であり、（ｂ）図１７（ａ）のＩ−Ｉ線に沿う断面斜視図であり、（ｃ）図１７（ａ）のＩ−Ｉ線に沿う断面図である。図１８は、変形例に係るフロントリテーナ４３の説明図、（ａ）フロントリテーナ４３の斜視図であり、（ｂ）フロントリテーナ４３の底面図であり、（ｃ）フロントリテーナ４３の側面図である。図１９は、変形例に係るフロントリテーナ４３が第１位置に位置付けられた状態の説明図、（ａ）フロントリテーナ４３が第１位置に位置付けられた蓋体４０の背面図であり、（ｂ）図１９（ａ）のＩＩ―ＩＩ線に沿う断面斜視図であり、（ｃ）図１９（ａ）のＩＩ−ＩＩ線に沿う断面図である。図２０は、変形例に係るフロントリテーナ４３が第２位置に位置付けられた状態の説明図、（ａ）フロントリテーナ４３が第２位置に位置付けられた蓋体４０の背面図であり、（ｂ）図２０（ａ）のＩＩＩ―ＩＩＩ線に沿う断面斜視図であり、（ｃ）図２０（ａ）のＩＩＩ−ＩＩＩ線に沿う断面図である。
【０１１６】
第３実施形態では、係止手段４６は、係止部材４６１及び係止部材収納部４６２によって構成されているが、これに限定されるものではなく、例えば、取付部４２に設けられる係止凹部及び係止凸部のいずれか一方と、被取付部４３１に設けられる係止凹部及び係止凸部のいずれか他方とによって構成されてもよい。
【０１１７】
図１７から図２０に示すように、係止手段４６は、取付部４２の傾斜部４５に設けられる係止凸部４６３と、係止凸部４６３と対応するように、被取付部４３１のスライド部４３１ｈに設けられる係止凹部４６４とから構成されている。
【０１１８】
係止凸部４６３は、１つによって構成されているのに対し、係止凹部４６４は、互いに隣接する第１係止凹部４６４ａ及び第２係止凹部４６４ｂによって構成されている。第１係止凹部４６４ａは、第２係止凹部４６４ｂよりも取付部４２の一端面４２４ａ側であるように配置されている。
【０１１９】
本変形例では、係止手段を構成する係止凸部４６３及び係止凹部４６４は、それぞれ傾斜部４５及びスライド部４３１ｈに設けられているが、これに限定されるものではなく、例えば、それぞれ第３嵌合爪４２９の傾斜面４２９ａ及び被取付部４３１の嵌合面４３１ｊに設けられてもよい。
【０１２０】
［フロントリテーナが第１位置（工程内搬送位置）に位置付けられた状態］
図１９に示すように、フロントリテーナ４３が第１位置に位置付けられる場合、被取付部４３１は、底面４２１側寄りの位置に位置付けられるように第３位置にスライドされている。この場合、被取付部４３１の一端部４３１ｄと取付部４２の一端面４２４ａとの間に隙間が形成されているが、被取付部４３１の他端部４３１ｅと取付部４２の他端面４２４ｂとが当接している。なお、この場合、係止凸部４６３が第２係止凹部４６４ｂと係合せずに第１係止凹部４６４ａと係合することによって、被取付部４３１が底面４２１側寄りの位置に位置決めされている。これにより、被取付部４３１によって支持される保持部４３２も、底面４２１側寄りの位置に配置されている。
【０１２１】
また、この場合、被取付部４３１の嵌合面４３１ｊが第３嵌合爪４２９の傾斜面４２９ａと当接することによって、被取付部４３１が、第３嵌合爪４２９と傾斜部４５との間に挟み込まれ、嵌合されるようになっている。
【０１２２】
第１実施形態と同様に、フロントリテーナ４３が第１位置に位置付けられた状態において、開口部２１が蓋体４０によって閉止されるとき、基板Ｗの前端部及び後端部は、それぞれ底面４２１側寄りの位置に配置されるフロントリテーナ４３及びリアリテーナ５０によって保持されている。この状態において、上述のように、保持部４３２も、底面４２１側寄りの位置に配置されることによって、前後方向における保持部４３２のＶ字溝４３３ｂからリアリテーナ５０のＶ字溝５１までの寸法が比較的に大きいため、保持される基板Ｗは、その左右端部が、基板支持部３０の支持面３１によって支持されることになっている。
【０１２３】
なお、変形例では、基板Ｗは、その左右端部が基板支持部３０に支持されるように、その前後端部がフロントリテーナ４３及びリアリテーナ５０によって保持されているが、これに限定されるものではなく、例えば、その左右端部が基板支持部３０から僅かに離間するように、その前後端部がフロントリテーナ４３及び基板支持部３０に設けられたＶ字保持溝３２によって保持されてもよい。
【０１２４】
このように、フロントリテーナ４３が第１位置に位置付けられた状態において、開口部２１が蓋体４０によって閉止されるとき、基板Ｗは、その左右端部が支持面３１から離間せず（又は、僅かに離間するように）、その前後端部がフロントリテーナ４３及びリアリテーナ５０によって発生される弱い基板保持力で保持されるため、工程内搬送時における基板Ｗの破損を確実に抑制することができるので、この状態のフロントリテーナ４３は、工程内搬送に適しており、この状態の基板収納容器１を工程内搬送用基板収納容器として用いることができる。
【０１２５】
［フロントリテーナが第２位置（出荷輸送位置）に位置付けられた状態］
図２０に示すように、フロントリテーナ４３が第１位置に対し一端面４２４ａ側（上端面側）に隙間分だけずれる第２位置に位置付けられる場合、被取付部４３１は、容器本体２０側寄りの位置に位置付けられるように第４位置にスライドされている。この場合、被取付部４３１の一端部４３１ｄと取付部４２の一端面４２４ａとが当接しているが、被取付部４３１の他端部４３１ｅと取付部４２の他端面４２４ｂとの間に隙間が形成されている。なお、この場合、係止凸部４６３が第１係止凹部４６４ａと係合せずに第２係止凹部４６４ｂと係合することによって、被取付部４３１が容器本体２０側寄りの位置に位置決めされている。これにより、被取付部４３１によって支持される保持部４３２も、容器本体２０側寄りの位置に配置されている。
【０１２６】
また、この場合、被取付部４３１の嵌合面４３１ｊが第３嵌合爪４２９の傾斜面４２９ａと当接することによって、被取付部４３１が、第３嵌合爪４２９と傾斜部４５との間に挟み込まれ、嵌合されるようになっている。
【０１２７】
なお、この場合、上述のように、フロントリテーナ４３が第１位置に対し一端面４２４ａ側（上端面側）に隙間分だけずれる第２位置に位置付けられるので、フロントリテーナ４３が第１位置に位置付けられる場合に比べ、被取付部４３１によって支持される保持部４３２が、上方側寄りの位置に配置されている。
【０１２８】
第１実施形態と同様に、フロントリテーナ４３が第２位置に位置付けられた状態において、開口部２１が蓋体４０によって閉止されるとき、基板Ｗの前端部及び後端部は、それぞれ容器本体２０側寄りの位置に配置されるフロントリテーナ４３及びリアリテーナ５０によって保持されている。この状態において、上述のように、保持部４３２も、容器本体２０側寄りの位置に配置されることによって、前後方向における保持部４３２のＶ字溝４３３ｂからリアリテーナ５０のＶ字溝５１までの寸法が比較的に小さく、かつ、フロントリテーナ４３が第１位置に位置付けられる場合に比べ上方側寄りの位置に配置されるため、保持される基板Ｗは、フロントリテーナ４３によって、リアリテーナ５０側に押し込まれることで、保持部４３２のＶ字溝４３３ｂ及びリアリテーナ５０のＶ字溝５１の奥側に摺動し、その左右端部が、基板支持部３０の支持面３１から離間して支持されないようになっている。
【０１２９】
なお、フロントリテーナ４３が第２位置に位置付けられた状態において、基板Ｗは、フロントリテーナ４３及びリアリテーナ５０によって基板支持部３０から離間するように保持されているが、これに限定されるものではなく、例えば、その左右端部が基板支持部３０から離間するように、その前後端部がフロントリテーナ４３及び基板支持部３０に設けられたＶ字保持溝３２によって保持されてもよい。
【０１３０】
このように、フロントリテーナ４３が第２位置に位置付けられた状態において、開口部２１が蓋体４０によって閉止されるとき、基板Ｗは、その左右端部が支持面３１から離間し、その前後端部がフロントリテーナ４３及びリアリテーナ５０によって発生される強い基板保持力で保持されるため、出荷輸送時に振動や衝撃による基板Ｗの移動を確実に抑制することができるので、この状態のフロントリテーナ４３は、出荷輸送に適しており、この状態の基板収納容器１を出荷輸送用基板収納容器として用いることができる。
【０１３１】
（変形例の効果）
以上のように構成された変形例の係止手段４６を備える基板収納容器１は、上述した第３実施形態の効果と同様の効果を奏し得る。それにくわえて、変形例の係止手段４６は、取付部４２に設けられる係止凹部及び係止凸部のいずれか一方と、被取付部４３１に設けられる係止凹部及び係止凸部のいずれか他方とによって構成されるので、係止手段４６を構成する係止部材４６１及び係止部材収納部４６２を廃止することができ、係止手段４６の簡易化を図ることができる。
【０１３２】
以上、具体的な実施形態に基づき、本発明の基板収納容器について説明してきたが、本発明は、上記の具体的な実施形態に限定されるものではなく、本発明の技術的範囲には、本発明の目的が達成される範囲での様々な変形や改良などが含まれるものであり、そのことは当業者にとって特許請求の範囲の記載から明らかである。
【符号の説明】
【０１３３】
１          基板収納容器
２０        容器本体
２１      開口部
２２ａ    側壁
２２ｂ    側壁
２３      背面壁
３０        基板支持部
３１      支持面
３２      Ｖ字保持溝
４０        蓋体
４１      施錠機構（ロック手段）
４２      取付部
４２１    底面
４２２    第１凸部
４２３    第１凹部
４２４ａ  一端面（上端面）
４２４ｂ  他端面（下端面）
４２５ａ  一方位置決め部
４２５ｂ  他方位置決め部
４２６    側面
４２７    第２嵌合爪
４２７ａ  傾斜面
４２７ｂ  平面
４２８    第１嵌合爪
４２８ａ  傾斜面
４２８ｂ  平面
４２９    第３嵌合爪
４２９ａ  傾斜面
４３      フロントリテーナ
４３１    被取付部
４３１ａ  第２凸部
４３１ｂ  第２凹部
４３１ｃ  切り欠き
４３１ｄ  一端部
４３１ｅ  他端部
４３１ｆ  第２切り欠き
４３１ｇ  第１切り欠き
４３１ｈ  スライド部
４３１ｉ  傾斜壁
４３１ｊ  嵌合面
４３２    保持部
４３３    保持部要素
４３３ａ  基体部
４３３ｂ  Ｖ字溝
４４      傾斜壁
４５      傾斜部
４６      係止手段
４６１    係止部材
４６１ａ  第１係止部材
４６１ｂ  第２係止部材
４６１ｃ  第１当接部
４６１ｄ  第１移動規制部
４６１ｅ  第２当接部
４６１ｆ  第２移動規制部
４６１ｇ  第１当接面
４６１ｈ  第２当接面
４６１ｉ  段差部
４６２    係止部材収納部
４６２ａ  第１収納部
４６２ｂ  第２収納部
４６２ｃ  第１移動規制部収納部
４６２ｄ  第１連通路
４６２ｅ  第２移動規制部収納部
４６２ｆ  第２連通路
４６２ｇ  一端部（第１移動規制部収納部）
４６２ｈ  他端部（第１移動規制部収納部）
４６２ｉ  一端部（第２移動規制部収納部）
４６３    係止凸部
４６４    係止凹部
４６４ａ  第１係止凹部
４６４ｂ  第２係止凹部
５０        リアリテーナ
５１      Ｖ字溝
Ｗ          基板
【図１】
2020009981.tif 000003
【図２】
2020009981.tif 000004
【図３】
2020009981.tif 000005
【図４】
2020009981.tif 000006
【図５】
2020009981.tif 000007
【図６】
2020009981.tif 000008
【図７】
2020009981.tif 000009
【図８】
2020009981.tif 000010
【図９】
2020009981.tif 000011
【図１０】
2020009981.tif 000012
【図１１】
2020009981.tif 000013
【図１２】
2020009981.tif 000014
【図１３】
2020009981.tif 000015
【図１４】
2020009981.tif 000016
【図１５】
2020009981.tif 000017
【図１６】
2020009981.tif 000018
【図１７】
2020009981.tif 000019
【図１８】
2020009981.tif 000020
【図１９】
2020009981.tif 000021
【図２０】
2020009981.tif 000022